(57)【要約】【課題】２つのセンサを備えた非接触式サーミスタを用いて定着ローラの表面温度を検出する定着装置において、定着装置の制御機構の複雑化及び装置のコストアップを招くことなく、非接触式サーミスタの個体差を平準化することができる定着装置及びそれを備えた画像形成装置を提供する。【解決手段】定着装置８内にセンタサーミスタ３１の移動手段を設けることにより、実線で示す主ヒーター２８ａの制御を行うために定着ローラ２３の略中央部分の表面温度を検知する位置から、破線で示すセンタサーミスタ３１の検知温度をエッジサーミスタ３０の検知温度と比較して補正を行うために、エッジサーミスタ３０の近傍へと移動させることができる。【選択図】図３
2008009330.tif 000002
【特許請求の範囲】
【請求項１】
用紙上の未定着トナーを定着する定着回転体と、該定着回転体に当接して用紙を挿通させるニップを形成する加圧回転体とを備え、前記定着回転体にはヒーターが内蔵されており、該定着回転体の表面温度を検知する温度検知手段が設けられた定着装置において、
前記温度検知手段は、前記定着回転体表面に接触するように配置された接触式センサと、前記定着回転体表面との間に所定の間隔を隔てて配置された非接触式センサとから成り、前記非接触式センサを前記定着回転体の回転軸方向に往復移動させる移動手段と、該移動手段により前記非接触式センサを前記接触式センサ近傍に移動させた後、前記接触式センサ及び前記非接触式センサの出力値の差に基づいて前記非接触式センサの検知温度を補正する検知温度補正手段とを設けたことを特徴とする定着装置。
【請求項２】
用紙上の未定着トナーを定着する定着回転体と、該定着回転体に当接して用紙を挿通させるニップを形成する加圧回転体と、前記定着回転体を加熱する少なくとも一つの加熱回転体とを備え、前記加熱回転体にはヒーターが内蔵されており、該加熱回転体の表面温度を検知する温度検知手段が設けられた定着装置において、
前記温度検知手段は、前記加熱回転体表面に接触するように配置された接触式センサと、前記加熱回転体表面との間に所定の間隔を隔てて配置された非接触式センサとから成り、前記非接触式センサを前記加熱回転体の回転軸方向に往復移動させる移動手段と、該移動手段により前記非接触式センサを前記接触式センサ近傍に移動させた後、前記接触式センサ及び前記非接触式センサの出力値の差に基づいて前記非接触式センサの検知温度を補正する検知温度補正手段とを設けたことを特徴とする定着装置。
【請求項３】
前記移動手段は、前記接触式センサが当接される前記定着回転体若しくは前記加熱回転体と平行となるように設けられた取付板と、該取付板上に前記定着回転体若しくは前記加熱回転体の回転軸方向に摺動可能に設けられ、前記非接触式センサを保持する可動レバー部材から構成されていることを特徴とする請求項１又は請求項２に記載の定着装置。
【請求項４】
前記移動手段は、前記非接触式センサを保持する保持部材と、該保持部材を前記接触式センサが当接される前記定着回転体若しくは前記加熱回転体の回転軸方向に摺動可能に支持する支持部材と、前記保持部材を移動させるための駆動装置とから構成されており、該駆動装置の動作が前記検知温度補正手段によって制御されることを特徴とする請求項１又は請求項２に記載の定着装置。
【請求項５】
前記支持部材は外周面にスクリューが形成されたドライブシャフトであり、前記保持部材には前記ドライブシャフトが挿通される貫通孔が設けられ、該貫通孔の内周面には前記ドライブシャフトのスクリューに噛合する螺旋溝が形成されており、前記ドライブシャフトは前記駆動装置により正逆方向に回転駆動されることを特徴とする請求項４に記載の定着装置。
【請求項６】
前記定着回転体及び前記加圧回転体の両方がローラで構成されることを特徴とする請求項１乃至請求項５のいずれかに記載の定着装置。
【請求項７】
請求項１乃至請求項６のいずれかに記載の定着装置を備えた画像形成装置。
【発明の詳細な説明】
【技術分野】
【０００１】
本発明は、複写機、ファクシミリ及びプリンタ等の画像形成装置に用いられる、一対の回転体を互いに当接させて成る定着装置に関するものであり、特に、定着装置に備えられる、定着の温度を検出するための温度検知手段に関するものである。
【背景技術】
【０００２】
従来の画像形成装置においては、帯電ユニットにより一様に帯電された感光体ドラム等の像担持体上に露光ユニットからレーザー照射を行うことにより、帯電を部分的に減衰させた所定の静電潜像を形成し、現像ユニットにより静電潜像にトナーを付着させてトナー像とした後、転写手段を用いてトナー像を記録媒体上に転写し、定着装置により未定着トナーを加熱、加圧して永久像とする画像形成プロセスが実行される。
【０００３】
従来の定着装置の構成を図１３に示す。定着装置１００のハウジングは上ハウジング１００ａ及び下ハウジング１００ｂから構成されており、上ハウジング１００ａ内には、図中時計回りに回転するヒートローラ１０１ａが収納され、下ハウジング１００ｂ内には反時計回りに回転するプレスローラ１０１ｂが収納されている。ヒートローラ１０１ａ内にはヒーター１０２が内蔵されており、プレスローラ１０１ｂは図示しない付勢手段により所定の圧力でヒートローラ１０１ａに圧接されている。ヒートローラ１０１ａ及びプレスローラ１０１ｂは、定着ニップ部Ｎを通過する用紙上の未定着トナーを定着させる定着ローラ対１０１を構成している。
【０００４】
転写ローラ（図示せず）によりトナー像が転写された用紙は図１３の左方向に進み、上流側開口部１０４ａより定着装置１００内に搬入される。上流側開口部１０４ａには定着進入ガイド１０５が設けられており、用紙の先端が定着進入ガイド１０５のガイド面１０５に沿って定着ニップ部Ｎに案内されて、定着ローラ対１０１の定着ニップ部Ｎを通過する。このとき所定の温度及び圧力により加熱、加圧され、用紙上のトナー像が永久像とされる。その後、用紙は下流側開口部１０４ｂより定着装置１００の外部に搬送され、排出ローラ（図示せず）より画像形成装置の外部に排出される。
【０００５】
このように構成された定着装置１００では、ヒートローラ１０１ａの表面温度を一定に保持するため、ヒートローラ１０１ａの上部には、ヒートローラ１０１ａに接触して表面温度を検知するサーミスタ１０３が設けられている。従来、定着ローラ対の温度検出素子としては接触式サーミスタが広く用いられてきたが、接触式サーミスタは検知精度が高い反面、ローラ表面に接触させて使用するため、ローラとサーミスタとの摩擦によりローラ表面に傷や削れが発生し、その部分の定着性能が低下して縦スジや定着不良等の不具合の原因となる。そこで、例えば特許文献１には、赤外線により温度検知を行う非接触式サーミスタを用いる方法が提案されている。
【０００６】
特許文献１では、非接触式サーミスタに、ヒートローラの温度を検知する赤外線温度センサと、センサ自体の筐体と同じ温度変化をする補正素子という２つのセンサを備えることにより、赤外線温度センサからの検知出力を補正素子からの補償出力を元に補正しながら測定対象物の温度検出を行うことができるため、周辺温度に影響されることなく対象物の温度を精度よく検知することができる。
【０００７】
しかし、特許文献１のように非接触式サーミスタに２つのセンサを用いる場合には、２つの非接触式センサが有する抵抗温度特性の組み合わせによって、検出される対象物の温度が異なってしまうため、非接触式サーミスタの個体差による誤差が生じやすいという問題があった。また、非接触式であるため、特にヒートローラの温度を検知する赤外線温度センサの信号出力が弱く、その検出回路に精度の高い抵抗等を用いる必要があり、コスト高となっていた。
【０００８】
そこで、上記のような２つのセンサを備えた非接触式サーミスタの個体差による誤差を防止する方法として、特許文献２、３には、ヒートローラに対して離接可能に配設された補正用サーミスタを用いて、非接触式サーミスタの誤差を補正する方法が開示されている。しかし、特許文献２、３のような方法では非接触式サーミスタの補正にのみ使用する補正用サーミスタを別途設ける必要があり、また補正用サーミスタの離間機構を構成する必要があるため、制御機構の複雑化及び装置のコストアップに繋がることとなる。
【０００９】
また、特許文献４には、加熱定着手段の赤外線放射率に応じて非接触式サーミスタの検知温度を補正する方法が開示されている。しかし、特許文献４の方法では、ローラ表面の赤外線放射率に応じた温度検知は可能となるものの、非接触式サーミスタ自体の検知誤差を補正することはできなかった。
【特許文献１】特開昭６０−５１８７２号公報
【特許文献２】特許第２８４３９８７号
【特許文献３】特開平５−１４９７９０号公報
【特許文献４】特開２０００−２２７７３２号公報
【発明の開示】
【発明が解決しようとする課題】
【００１０】
本発明は、上記問題点に鑑み、２つのセンサを備えた非接触式サーミスタを用いてヒートローラの表面温度を検出する定着装置において、定着装置の制御機構の複雑化及び装置のコストアップを招くことなく、非接触式サーミスタの個体差を平準化することができる定着装置及びそれを備えた画像形成装置を提供することを目的とする。
【課題を解決するための手段】
【００１１】
上記目的を達成するために本発明は、用紙上の未定着トナーを定着する定着回転体と、該定着回転体に当接して用紙を挿通させるニップを形成する加圧回転体とを備え、前記定着回転体にはヒーターが内蔵されており、該定着回転体の表面温度を検知する温度検知手段が設けられた定着装置において、前記温度検知手段は、前記定着回転体表面に接触するように配置された接触式センサと、前記定着回転体表面との間に所定の間隔を隔てて配置された非接触式センサとから成り、前記非接触式センサを前記定着回転体の回転軸方向に往復移動させる移動手段と、該移動手段により前記非接触式センサを前記接触式センサ近傍に移動させた後、前記接触式センサ及び前記非接触式センサの出力値の差に基づいて前記非接触式センサの検知温度を補正する検知温度補正手段とを設けたことを特徴としている。
【００１２】
また本発明は、上記構成の定着装置において、用紙上の未定着トナーを定着する定着回転体と、該定着回転体に当接して用紙を挿通させるニップを形成する加圧回転体と、前記定着回転体を加熱する少なくとも一つの加熱回転体とを備え、前記加熱回転体にはヒーターが内蔵されており、該加熱回転体の表面温度を検知する温度検知手段が設けられた定着装置において、前記温度検知手段は、前記加熱回転体表面に接触するように配置された接触式センサと、前記加熱回転体表面との間に所定の間隔を隔てて配置された非接触式センサとから成り、前記非接触式センサを前記加熱回転体の回転軸方向に往復移動させる移動手段と、該移動手段により前記非接触式センサを前記接触式センサ近傍に移動させた後、前記接触式センサ及び前記非接触式センサの出力値の差に基づいて前記非接触式センサの検知温度を補正する検知温度補正手段とを設けたことを特徴としている。
【００１３】
また本発明は、上記構成の定着装置において、前記移動手段は、前記接触式センサが当接される前記定着回転体若しくは前記加熱回転体と平行となるように設けられた取付板と、該取付板上に前記定着回転体若しくは前記加熱回転体の回転軸方向に摺動可能に設けられ、前記非接触式センサを保持する可動レバー部材から構成されていることを特徴としている。
【００１４】
また本発明は、上記構成の定着装置において、前記移動手段は、前記非接触式センサを保持する保持部材と、該保持部材を前記接触式センサが当接される前記定着回転体若しくは前記加熱回転体の回転軸方向に摺動可能に支持する支持部材と、前記保持部材を移動させるための駆動装置とから構成されており、該駆動装置の動作が前記検知温度補正手段によって制御されることを特徴としている。
【００１５】
また本発明は、上記構成の定着装置において、前記支持部材は外周面にスクリューが形成されたドライブシャフトであり、前記保持部材には前記ドライブシャフトが挿通される貫通孔が設けられ、該貫通孔の内周面には前記ドライブシャフトのスクリューに噛合する螺旋溝が形成されており、前記ドライブシャフトは前記駆動装置により正逆方向に回転駆動されることを特徴としている。
【００１６】
また本発明は、上記構成の定着装置において、前記定着回転体及び前記加圧回転体の両方がローラで構成されることを特徴としている。
【００１７】
また本発明は、上記構成の定着装置を搭載したことを特徴とする画像形成装置である。
【発明の効果】
【００１８】
本発明の第１の構成によれば、非接触式センサに移動手段を設けて、接触式センサの近傍へと移動できるように構成することにより、定着回転体の表面温度を検知するために用いられている接触式センサを、非接触式センサの検知温度の補正に利用することができるため、非接触式センサ補正用の接触式センサを別途備える必要がなく、コストアップを招くことなく、非接触式センサの個体差を平準化することができる。
【００１９】
本発明の第２の構成によれば、非接触式センサに移動手段を設けて、接触式センサの近傍へと移動できるように構成することにより、加熱回転体の表面温度を検知するために用いられている接触式センサを、非接触式センサの検知温度の補正に利用することができるため、非接触式センサ補正用の接触式センサを別途備える必要がなく、コストアップを招くことなく、非接触式センサの個体差を平準化することができる。
【００２０】
また、本発明の第３の構成によれば、上記第１又は第２の構成の定着装置において、移動手段を取付板と可動レバー部材とから構成し、手動によって非接触式センサを移動させるよう構成することにより、ドライブ機構を設ける必要がなく、簡易に低価格で移動手段を構成することができる。
【００２１】
また、本発明の第４の構成によれば、上記第１又は第２の構成の定着装置において、移動手段を保持部材、支持部材及び保持部材を移動させるための駆動装置から構成し、駆動装置の動作が検知温度補正手段によって制御されるよう構成することにより、ユーザ又はサービスマンの手を煩わせることなく非接触式センサを移動することができ、検知温度補正手段によって自動的に非接触式センサの検知温度の補正を行うように設定することができ、非接触式センサの個体差を平準化するだけでなく、トナー等の飛散物に起因する非接触式センサの測定誤差を定期的に補正することができる。
【００２２】
また、本発明の第５の構成によれば、上記第４の構成の定着装置において、保持部材にラックギアを設ける場合には、保持部材の定着回転体若しくは加熱回転体の回転軸方向の長さが少なくとも非接触式センサの移動量以上の長さとなるように形成する必要があるが、支持部材としてドライブシャフトを用いて、保持部材には内周面にドライブシャフトのスクリューと噛合する螺旋溝が形成された貫通孔を設け、駆動装置によってドライブシャフトを正逆回転させることにより、保持部材の回転軸方向の長さを非接触式センサと略同一程度の長さに形成することができるため、移動手段をより省スペースに構成することができる。
【００２３】
また、本発明の第６の構成によれば、上記第１乃至第５のいずれかの構成の定着装置において、定着装置を構成する主な部品が、定着ローラ及び加圧ローラのみになるので、構造の簡素化を図ることができ、装置をよりコンパクトにすることが可能である。さらに、部品点数の削減によるコストダウンが可能である。
【００２４】
また、本発明の第７の構成によれば、上記第１乃至第６のいずれかの構成の定着装置を画像形成装置に搭載することによって、定着回転体若しくは加熱回転体の表面温度を精確に検知することができるようになり、良好な定着性を得ることができる。
【発明を実施するための最良の形態】
【００２５】
以下、図面を参照して本発明の実施形態について説明する。図１は本発明に係る定着装置を搭載した画像形成装置の概略構成図であり、一例としてカラーレーザプリンタを図示している。ここで、以下の説明ではカラー画像形成装置を一例として説明するが、本発明はカラー画像形成装置だけでなく、モノクロ画像形成装置にも応用することができる。なお、図１においては、右側が画像形成装置の前方側である。
【００２６】
先ず、図１を参照して画像形成装置１について説明する。画像形成装置１の本体下部には用紙を収容する給紙部２が設けられており、この給紙部２の一端部には用紙Ｐを最上位紙から１枚ずつ給紙するための分離給送手段３が設けられている。給紙部２の上方には、本体前方から本体後方へ略水平に延び、さらに上方へ延びて本体上面に形成された排紙トレイ４に至る搬送路５が形成されており、この搬送路５に沿って上流側から順に上記分離給送手段３、搬送ローラ対６、二次転写ローラ７、定着装置８、搬送ローラ対９及び排紙ローラ対１０が配置されている。
【００２７】
そして、水平方向の搬送路５の上方には無端状の中間転写ベルト１１が回転自在に配設されている。中間転写ベルト１１は、駆動ローラ１２、従動ローラ１３、テンションローラ１４及び一次転写ローラ１５に懸架されており、駆動ローラ１２が回転駆動されることにより、上記のローラとともに矢印のように時計方向に回転されるようになっている。また、駆動ローラ１２は中間転写ベルト１１を介して二次転写ローラ７と当接し、中間転写ベルト１１の回転方向においてこの当接部（二次転写領域）の下流部にクリーニングブレード１６が駆動ローラ１２に圧接するように中間転写ベルト１１に当接している。
【００２８】
また、中間転写ベルト１１の上方には、像担持体である感光体ドラム１７が配置されている。感光体ドラム１７は、中間転写ベルト１１の回転方向においてテンションローラ１４の下流且つ一次転写ローラ１５の上流において中間転写ベルト１１と当接するように配置され、テンションローラ１４等によって中間転写ベルト１１が感光体ドラム１７に圧接せしめられており、この当接部が一次転写領域となっている。
【００２９】
そして、感光体ドラム１７は図示しない駆動装置によって反時計方向に回転駆動され、その回転方向に沿って上方から順に帯電ローラ１８、現像ユニット１９、上記一次転写ローラ１５、クリーニングユニット２０が配設され、また、現像ユニット１９の上方には、既知の光学系を利用したレーザー光学ユニット２１が配置されている。帯電ローラ１８は感光体ドラム１７の上部でこれに当接して、感光体ドラム１７の回転に従動回転することにより、感光体ドラム１７の表面を一様に帯電させるものである。
【００３０】
現像ユニット１９は、全体が略円筒形状であり、その両端部で回転自在に支持されている。この現像ユニット１９の内部は、十字型の仕切り壁１９ａにより４つの部屋に区切られ、ここにイエロー（Ｙ）、マゼンタ（Ｍ）、シアン（Ｃ）、及びブラック（Ｋ）の各色のトナーに対応した４つの現像器２２Ｙ，２２Ｍ，２２Ｃ，２２Ｋがそれぞれ構成されており、図示しない駆動部を駆動することで現像ユニット１９が回転して、いずれかの現像器を選択的に感光体ドラム１７に対向配置させ、現像動作が行われるようになっている。なお、図示する現像器の配置は一例であって、これに限定されるものではない。
【００３１】
次に、上記のように構成された画像形成装置１による画像形成動作について説明する。まず、感光体ドラム１７が回転駆動されることにより、帯電ローラ１８が従動回転し、感光体ドラム１７の表面が一様に帯電される。そして、入力された画像信号に基づいて、レーザー光学ユニット２１が動作し、帯電後の感光体ドラム１７上にレーザー光が照射され、感光体ドラム１７の表面に静電潜像が形成される。こうして形成された静電潜像は現像ユニット１９によって上記のようにして現像される。
【００３２】
すなわち、モノクロ画像形成の場合には、現像器２２Ｋのみを静電潜像の形成された感光体ドラム１７に対向配置させてブラックのトナー像を感光体ドラム１７の表面に形成し、カラー画像形成の場合には、駆動部を駆動することで現像ユニット１９を回転させ、４つの現像器２２Ｙ〜２２Ｋを順次選択的に感光体ドラム１７に対向配置させ、各色のトナー像を感光体ドラム１７の表面に形成する。
【００３３】
このようにして感光体ドラム１７の表面に形成されたトナー像は、一次転写ローラ１５によって、時計方向に回転する中間転写ベルト１１上に一次転写される。すなわち、モノクロ画像形成の場合には、感光体ドラム１７の表面に形成されたブラックのトナー像を一次転写ローラ１５によって回転する中間転写ベルト１１上に転写してモノクロ画像を形成し、カラー画像形成の場合には、感光体ドラム１７の表面に形成された各色のトナー画像を一次転写ローラ１５によって順次回転する中間転写ベルト１１上に転写し、これらを重ね合わせてカラー画像を形成する。なお、カラー画像形成の場合、一次転写動作中にはクリーニングブレード１６は中間転写ベルト１１より離間されている。
【００３４】
そして、所定の二次転写領域において、分離給送手段３によって給紙部２から給紙され、さらに搬送ローラ対６により搬送路５を搬送されてきた用紙Ｐ上に、二次転写ローラ７によって中間転写ベルト１１上のモノクロ又はカラー画像が一括で二次転写される。そして、このようにしてモノクロ又はカラー画像が転写された用紙Ｐは、搬送路５を搬送され、定着装置８により用紙Ｐ上のトナー像が加熱されて定着される。定着後、用紙Ｐは搬送ローラ対９によりさらに搬送路５を搬送され、排紙ローラ対１０により排紙トレイ４上に排紙される。
【００３５】
なお、一次転写されずに感光体ドラム１７上に残ってしまう未転写トナーは、クリーニングユニット２０で除去され、二次転写されずに中間転写ベルト１１上に残った未転写トナーはクリーニングブレード１６によって除去される。除去されたトナーは回収スクリューなどのトナー回収装置によって図示しない廃棄ボトルへと搬送される。
【００３６】
次に、図２〜図５を参照して、本発明の第１実施形態に係る定着装置８について詳細に説明する。図２は第１実施形態に係る定着装置の概略構成を示す側面断面図であり、矢印Ａは用紙の搬送方向を示している。図３は図２に示す定着装置の正面断面図であり、説明の便宜上、ハウジングを除外して図示している。図４はセンタサーミスタ温度検出回路を示す概略回路図である。図５はセンタサーミスタによる温度検出時に用いられる温度変換テーブルの一例である。
【００３７】
図２に示すように、定着装置８は、定着ローラ２３、加圧ローラ２４及びこれらのローラを回転自在に支持するハウジング２５から構成されている。ハウジング２５は、定着装置８の本体骨格を成すものであり、定着ローラ用ハウジング２５ａと、加圧ローラ用ハウジング２５ｂとから成り、ハウジング２５ａが定着ローラ２３を、ハウジング２５ｂが加圧ローラ２４をそれぞれ覆うよう構成されている。また、ハウジング２５の用紙搬送方向上流側には、用紙Ｐを定着装置８内に導入するための導入穴部２６が設けられ、ハウジング２５の用紙搬送方向下流側には、導入穴部２６から導入された用紙を排出するための排出穴部２７が設けられている。
【００３８】
定着ローラ２３は、熱伝導性に優れたアルミや鉄等の金属から成る円筒形状の芯金上に、フッ素樹脂のコーティングやチューブを被覆しただけの、いわゆるハードローラが用いられている。また、定着ローラ２３の芯金内部に熱源であるハロゲンヒーター２８が設けられており、定着ローラ２３の一端部近傍には画像形成装置１本体に備えられた定着ローラ用モータ５６（図６参照）から駆動が伝達される駆動ギア２９が設けられている。加圧ローラ２４は、合成樹脂、金属その他材料から構成される円筒形状の基材上にシリコンゴム等の弾性層が形成され、この弾性層の表面がフッ素樹脂等の離形性に優れた樹脂で覆われたものが用いられている。
【００３９】
これらの定着ローラ２３及び加圧ローラ２４は、用紙Ｐの搬送方向に対して直角に交差するように、それぞれの両端部に設けられた軸受２３ａ，２４ａによってハウジング２５ａ，２５ｂにそれぞれ回転自在に支持されている。また、加圧ローラ２４は、定着ローラ２３に所定の圧力で圧接されて定着ローラ２３に従動回転するよう構成されている。そして、定着ローラ２３と加圧ローラ２４との当接部分へと搬送される用紙Ｐを、加熱及び加圧することにより粉体状態のトナーを溶融定着させるよう構成されている。
【００４０】
なお、図３に示すように、定着ローラ２３に備えられるハロゲンヒーター２８は、主ヒーター２８ａ及び副ヒーター２８ｂを有しており、定着ローラ２３の幅方向略中央領域を主ヒーター２８ａが加熱し、定着ローラ２３の幅方向両端部領域を副ヒーター２８ｂが加熱するよう構成されている。そのため、定着ローラ２３の表面温度を検知する温度検知手段は、幅方向端部領域の表面温度を検知するエッジサーミスタ３０と、幅方向略中央領域の表面温度を検知するセンタサーミスタ３１とから構成されている。
【００４１】
エッジサーミスタ３０は、定着ローラ２３の幅方向端部に配設されるものであり、定着ローラ２３の画像定着に使用される通紙領域外にのみ接触するように配設されており、定着ローラ２３の表面に接触してその表面温度を高精度に検知することができる接触式サーミスタが用いられている。そして、センタサーミスタ３１は、定着ローラ２３の通紙領域上に配置されるため、定着ローラ２３に接触配置させると定着ローラ２３とセンタサーミスタ３１との摩擦により定着ローラ２３表面に傷や削れが発生し、その部分の定着性能が低下して縦スジや定着不良等を生じるおそれがあるため、定着ローラ２３表面との間に所定の間隔を隔てて配置される非接触式サーミスタが用いられている。
【００４２】
なお、これらのエッジサーミスタ３０及びセンタサーミスタ３１の配設位置に関しては、後述するようにセンタサーミスタ３１がエッジサーミスタ３０と定着ローラ２３の回転方向同一線上に位置するようにセンタサーミスタ３１を移動させるため、図２に示すように、定着ローラ２３の回転軸方向から見たとき、エッジサーミスタ３０とセンタサーミスタ３１とが重ならないように配設しておかなければならない。
【００４３】
ただし、エッジサーミスタ３０とセンタサーミスタ３１とが離れすぎた場合には、両者の周囲環境に大きな差が生じることとなるため、エッジサーミスタ３１とセンタサーミスタ３１とが定着ローラ２３の回転方向に９０°以内の範囲に配設されていることが好ましい。また、一般的に非接触式サーミスタに比べて接触式サーミスタの方が熱感度が早いため、非接触式サーミスタであるセンタサーミスタ３１を、接触式サーミスタであるエッジサーミスタ３０よりも、定着ローラ２３の回転方向上流側に配設しておくことが好ましい。
【００４４】
ここで、センタサーミスタ３１について詳述する。図３に示すようにセンタサーミスタ３１には、定着ローラ２３に接触することなくその表面温度を検知する検知サーミスタ３１ａが備えられており、この検知サーミスタ３１ａには赤外線感温式サーミスタが用いられている。また、検知サーミスタ３１ａの検知出力がセンタサーミスタ３１本体の温度によって影響されるため、センタサーミスタ３１には検知サーミスタ３１ａの出力を周囲の温度に応じて補正することができるようセンタサーミスタ３１本体の温度を検知する補償サーミスタ３１ｂが備えられており、図４に示すセンタサーミスタ温度検出回路４０を介して、後述する主制御部６０（図６参照）へとセンタサーミスタ３１の出力値が入力されるようになっている。
【００４５】
すなわち、図４に示すように、センタサーミスタ温度検出回路４０は、検知サーミスタ３１ａ、補償サーミスタ３１ｂ、オペアンプ４１，４２，４３、コンデンサー４４及び種々の抵抗４５とから構成されるものであり、補償サーミスタ３１ｂからの出力値は、ボルテージフォロア（オペアンプ４２）を介して分岐されて、その一方は補償出力ＣＴ２として出力される。
【００４６】
また、ボルテージフォロア（オペアンプ４２）を介し分岐された他方の補償出力と、ボルテージフォロア（オペアンプ４１）介した検知サーミスタ３１ａからの出力値は、オペアンプ４３を含む差動増幅回路（図４に破線Ｃで示す部分）へと入力され、補償サーミスタ３１ｂからの出力値と検知サーミスタ３１ａからの出力値との差である検知補償出力差ＣＴ１として出力される。そして、これらの検知補償出力差ＣＴ１と補償出力ＣＴ２はそれぞれＡ／Ｄ変換された後、主制御部６０（図６参照）へと入力される。
【００４７】
次に、図５に示す温度変換テーブルを用いて行うセンタサーミスタ３１による定着ローラ２３の表面温度検出について説明する。図５において、温度変換テーブルの各行には補償温度０℃〜１３０℃における補償サーミスタ３１ｂの補償出力ＣＴ２が割り当てられ、各列には検知温度が０℃から２６０℃まで２０℃間隔で割り当てられている。そして、センタサーミスタ３１によって定着ローラ２３の表面温度が検知されると、主制御部６０はセンタサーミスタ温度検出回路４０を介して入力された、検知補償出力差ＣＴ１及び補償出力ＣＴ２に対応する検知温度を選定する。なお、この例においては補正テーブルの各検知補償出力差の単位はＶである。例えば、補償出力がＶ20、検知補償出力差がＶ20-180であった場合、検知温度１８０℃が選定される。
【００４８】
ここで、上述したセンタサーミスタ３１のように、定着ローラ２３の表面温度を検知する検知サーミスタ３１ａと、センタサーミスタ３１本体の温度を検知する補償サーミスタ３１ｂという２つのセンサを用いている場合には、それぞれのサーミスタが有する抵抗温度特性の組み合わせによって得られる検知温度が異なることとなり、センタサーミスタ３１として用いられる非接触式サーミスタの個体差による検知誤差が生じることとなる。
【００４９】
そこで、本発明においては、センタサーミスタ３１を定着ローラ２３の回転軸方向に、センタサーミスタ３１とエッジサーミスタ３０が定着ローラ２３の回転方向同一線上に位置するように移動させることができる移動手段５０が設けられていることを特徴としており、これにより、定着ローラ２３を回転駆動させることによりセンタサーミスタ３１とエッジサーミスタ３０とが定着ローラ２３の同一箇所の表面温度を検知することができるため、非接触式サーミスタであるセンタサーミスタ３１の検知温度を、接触式サーミスタであるエッジサーミスタ３０の検知温度に一致するように補正することができる。
【００５０】
図２及び図３を参照して、第１実施形態に係る定着装置８に設けられた移動手段５０について説明する。本実施形態における移動手段５０は、取付板５１と可動レバー部材５２とから構成されている。取付板５１は矩形状の板部材であり、図３に示すように、定着ローラ２３に対して平行となるようにハウジング２５ａ内に配設されている。可動レバー部材５２は、センタサーミスタ３１を保持する保持部５２ａと、この保持部５２ａから定着ローラ２３の回転軸方向に延び出すように設けられた腕部５２ｂ、及び腕部５２ｂの先端部に設けられた把手部５２ｃから成り、取付板５１の定着ローラ２３と対向する面と反対側の面上に、定着ローラ２３の回転軸方向にのみ移動可能に配設されている。
【００５１】
また、ハウジング２５ａには図示しない貫通孔が設けられており、可動レバー部材５２の腕部５２ｂの長さは、図３に実線で示すように、保持部５２ａに保持されたセンタサーミスタ３１を定着ローラ２３の略中央部分に配置させたとき、腕部５２ｂの一部がハウジング２５ａに設けられた貫通孔を挿通して、先端に設けられた把手部５２ｃがハウジング２５ａの外部に位置するような長さに形成されている。
【００５２】
そして、ハウジング２５ａの外部から把手部５２ｃによって可動レバー部材５２を、矢印Ｂで示すように、定着ローラ２３の回転軸方向に移動させることにより、センタサーミスタ３１を、図３に実線で示すような、主ヒーター２８ａの制御を行うために定着ローラ２３の略中央部分の表面温度を検知する位置から、図３に破線で示すような、センタサーミスタ３１の検知温度をエッジサーミスタ３０の検知温度と比較して補正を行うために、エッジサーミスタ３０の近傍へと移動させることができる。
【００５３】
続いて、図６を参照して、本実施形態に係る定着装置８の制御系の構成について説明する。図６は第１実施形態に係る定着装置の制御系の構成を示すブロック図である。第１実施形態に係る定着装置８の制御系には、主制御部６０が備えられており、この主制御部６０には、操作パネル６１、ＲＯＭ６２、ＲＡＭ６３、ヒーター制御回路６４、モータ制御回路６５及びエッジサーミスタ３０が接続され、センタサーミスタ３１がセンタサーミスタ温度検出回路４０を介して接続されている。
【００５４】
操作パネル６１は、給紙部２に収容されている用紙の種類や厚さ、サイズ等の各種情報を入力したり、モノクロ画像形成モード又はカラー画像形成モードを選択したり、後述する補正モードを選択するものであり、ユーザが操作し易いように画像形成装置１本体の外装面に設けられている。ＲＯＭ６２は、センタサーミスタ３１の検出温度を、エッジサーミスタ３０の検出温度によって補正するプログラム等の各種のプログラムが格納されるほか、前述した温度変換テーブルが記憶されている。ＲＡＭ６３は、センタサーミスタ３１からの出力情報や、エッジサーミスタ３０からの出力情報等が記憶される。
【００５５】
ヒーター制御回路６４には、ハロゲンヒーター２８が接続されており、主制御部６０からの出力信号によってハロゲンヒーター２８に備えられた主ヒーター２８ａ及び副ヒーター２８ｂのＯＮ・ＯＦＦを制御する。モータ制御回路６５には、定着ローラ２３を回転駆動させる定着ローラ用モータ６６が接続されており、主制御部６０からの出力信号により定着ローラ用モータ６６を駆動させて、定着ローラ２３を回転駆動させるものである。
【００５６】
そして、主制御部６０は本発明における検知温度補正手段であって、操作パネル６１を介して受信されたデータに基づいて各種制御回路に制御信号を出力するものであり、操作パネル６１から補正モード開始が入力されると、ＲＯＭ６２に記憶されたプログラムに従って、ヒーター制御回路６４及びモータ制御回路６５に制御信号を出力し、ハロゲンヒーター２８及び定着ローラ用モータ６６等の各構成要素を制御して、センタサーミスタ３１の検知温度の補正を実行する。
【００５７】
次に、図１〜図６を参照しながら、図７のステップに従い補正プロセスについて説明する。図７は、本発明の第１実施形態に係る定着装置における、センタサーミスタの検知温度の補正プロセスを示すフローチャートである。
【００５８】
先ず、ユーザ又はサービスマンは操作パネル６１によって補正モードを選択した後（ステップＳ１）、可動レバー部材５２を操作してセンタサーミスタ３１を、図３に破線で示すようにエッジサーミスタ３０の近傍へと移動させる（ステップＳ２）。そして、センタサーミスタ３１を移動させた後、再度操作パネル６１を操作することによって補正モードを開始する（ステップＳ３）。
【００５９】
補正モードが開始されると、主制御部６０はＲＯＭ６２に記憶されているプログラムに従ってヒーター制御回路６４、モータ制御回路６５へ制御信号を出力して、定着ローラ２３を駆動させ（ステップＳ４）、エッジサーミスタ３０の出力値に基づいてヒーター制御回路６４へと制御信号を出力してハロゲンヒーター２８をＯＮ・ＯＦＦすることによって、定着ローラ２３の表面温度が所定の温度となるように温度制御する（ステップＳ５）。
【００６０】
定着ローラ２３の表面温度が所定の温度に安定するようになれば、主制御部６０はセンタサーミスタ温度検出回路４０を介して入力されたセンタサーミスタ３１からの出力値に基づいて、図５に示す温度変換テーブルにより、センタサーミスタ３１により検知された定着ローラ２３の表面温度の検知温度を選定し（ステップＳ６）、エッジサーミスタ３０によって検知された定着ローラ２３の検知温度と、センタサーミスタ３１による検知温度を比較する（ステップＳ７）。
【００６１】
そして、エッジサーミスタ３０によって得られた値とセンタサーミスタ３１によって得られた値とが異なっているかを比較判断して（ステップＳ８）、それぞれの検知温度が異なっている場合には、主制御部６０はセンタサーミスタ３１による検知温度がエッジサーミスタ３０による検知温度に一致するように、温度変換テーブル上の数値をシフトさせることによってセンタサーミスタ３１の検知温度を補正する（ステップＳ９）。
【００６２】
すなわち、例えばエッジサーミスタ３０によって得られた検知温度が１８０℃であるとき、センタサーミスタ３１の補償サーミスタ３１ｂの出力値がＶ20であり、検知サーミスタ３１ａと補償サーミスタ３１ｂとの出力値の差がＶ20-200であって、図５に示す温度変換テーブルにより選定される検知温度が２００℃となる場合には、図８に示す補正後の温度変換テーブルのように、温度変換テーブル上の数値を１列シフトさせて、選定される検知温度がエッジサーミスタ３０と同じ１８０℃となるように補正を行う。
【００６３】
そして、センタサーミスタ３１の検知温度の補正が行われると主制御部６０による補正モードが終了となり（ステップＳ１０）、ユーザが可動レバー部材５２を操作してセンタサーミスタ３１を、図３に実線で示すように定着ローラ２３の略中央部分へと移動させることにより補正プロセスが終了する（ステップＳ１１）。一方、ステップＳ８において、センタサーミスタ３１による検知温度がエッジサーミスタ３０による検知温度と一致している場合には、センタサーミスタ３１の検知温度の補正を行うことなく補正モードが終了され（ステップＳ１０）、センタサーミスタ３１を移動させることにより補正プロセスが終了する（ステップＳ１１）。
【００６４】
以上のように非接触式サーミスタであるセンタサーミスタ３１に移動手段５０を設けて、接触式サーミスタであるエッジサーミスタ３０の近傍へと移動できるように構成することにより、定着ローラ２３の幅方向端部領域の表面温度を検知するために用いられているエッジサーミスタ３０を、センタサーミスタ３１の検知温度の補正に利用することができるため、別途補正用接触式サーミスタを備える必要がなく、コストアップを招くことなく、非接触式サーミスタであるセンタサーミスタ３１の個体差を平準化することができる。また、移動手段５０を取付板５１と可動レバー部材５２とから構成し、手動によってセンタサーミスタ３１を移動させるよう構成することにより、ドライブ機構を設ける必要がなく、簡易に低価格で移動手段５０を構成することができる。
【００６５】
なお、上記実施形態においては、定着ローラ２３及び加圧ローラ２４を用いたローラ方式の定着装置８について説明したがこれに限られるものではなく、例えば、図９に示すように、加圧ローラ２４の代わりに薄肉の加圧ベルト７０を用いて、複数の支持ローラ７１に張架することによって定着ローラ２３に圧接するように構成しても良いし、図示しないが、加圧ベルト７０内部にパッドを設けて、これによって定着ローラ２３に圧接するように構成してもよい。また、図１０に示すように、定着ローラ２３の代わりに、ハロゲンヒーター２８を内蔵する熱ローラ７２と、少なくとも１個以上の支持ローラ７１とによって張架された定着ベルト７３を用いた構成であってもよい。
【００６６】
更に、定着ローラ２３又は定着ベルト６４のような定着回転体にハロゲンヒーター２８を配設せずに、例えば、図１１に示すように、ハロゲンヒーター２８が内蔵された加熱ローラ７４を、少なくとも一つ定着ローラ２３に当接するように配設して、この加熱ローラ７４によって定着ローラ２３を加熱するような構成であっても良いし、図１２に示すように、ハロゲンヒーター２８を内蔵する熱ローラ７２と、少なくとも１個以上の支持ローラ７１とによって張架された加熱ベルト７５を、定着ローラ２３に圧接させて定着ローラ２３を加熱するような構成であってもよい。
【００６７】
なお、図１０〜図１２に示すような構成とした場合には、温度検知手段であるエッジサーミスタ３０及びセンタサーミスタ３１は、図１０及び図１２に示す構成においては、ベルトを張架するローラのうちハロゲンヒーター２８を内蔵する熱ローラ７２にベルトを介して対向するように配設しておかなければならず、また、図１１に示す構造では、定着ローラ２３の加熱に用いられるハロゲンヒーター２８が内蔵された加熱ローラ７４の各々に対して温度検知手段を設けておかなければならない。
【００６８】
次に、図１３〜図１６を参照して本発明の第２実施形態について説明する。図１３は第２実施形態に係る定着装置の概略構成を示す側面断面図であり、矢印Ａは用紙の搬送方向を示している。図１４は図１３に示す定着装置の正面断面図であり、説明の便宜上、ハウジングを除外して図示している。図１５は第２実施形態に係る定着装置の制御系の構成を示すブロック図である。図１６は本発明の第２実施形態に係る定着装置における、センタサーミスタの検知温度の補正プロセスを示すフローチャートである。なお、第１実施形態の図３及び図６と共通する部分には同一の符号を付して説明を省略する。
【００６９】
図１３及び図１４に示すように本実施形態におけるセンタサーミスタ３１の移動手段５０は、センタサーミスタ３１を保持する保持部材５３と、ガイドシャフト５４と、ドライブシャフト５５及びサーミスタ移動用モータ５６から構成されている。ガイドシャフト５４及びドライブシャフト５５は定着ローラ２３と平行となるようにハウジング２５ａ内に配設されている。そして、保持部材５３はセンタサーミスタ３１を保持する保持部５３ａと、この保持部５３ａから定着ローラ２３に対して直交する方向へと延び出すように設けられた支持部５３ｂとから成り、支持部５３ｂにはガイドシャフト５４及びドライブシャフト５５が挿通される図示しない貫通孔が設けられている。
【００７０】
また、ドライブシャフト５５には、その外周面にスクリューが形成されており、支持部５３ｂに設けられたドライブシャフト５５を挿通する貫通孔の内周面には、ドライブシャフト５５のスクリューに噛合する螺旋溝が形成されている。更に、ドライブシャフト５５の一端には駆動ギア５７が固着されており、この駆動ギア５７が減速ギア５８を介してサーミスタ移動用モータ５６に接続されている。
【００７１】
そして、サーミスタ移動用モータ５６によってドライブシャフト５５を正逆回転させることにより、保持部材５３によって保持されるセンタサーミスタ３１を、図１４に実線で示すような、主ヒーター２８ａの制御を行うために定着ローラ２３の略中央部分の表面温度を検知する位置から、図１４に破線で示すような、センタサーミスタ３１の検知温度をエッジサーミスタ３０の検知温度と比較して補正を行うために、エッジサーミスタ３０の近傍へと移動させることができる。
【００７２】
続いて、図１５を参照して、本実施形態に係る定着装置８の制御系の構成について説明する。本実施形態に係る定着装置８の制御系では第１実施形態の制御系に加えて、モータ制御回路６５には上述した移動手段５０を構成するサーミスタ移動用モータ５６が接続されており、モータ制御回路６５に主制御部６０から制御信号を出力することによって、サーミスタ移動用モータ５６を制御して、センタサーミスタ３１の移動が行えるよう構成されている。
【００７３】
次に、図１３〜図１５を参照しながら、図１６のステップに従い第２実施形態の補正プロセスについて説明する。先ず、ユーザ又はサービスマンによって補正モードが開始されると（ステップＳ１）、主制御部６０はモータ制御回路６５に制御信号を出力してサーミスタ移動用モータ５６を制御してセンタサーミスタ３１を、図１４に破線で示すようにエッジサーミスタ３０の近傍へと移動させる（ステップＳ２）。
【００７４】
センタサーミスタ３１を移動させると、第１実施形態と同様に主制御部６０は定着ローラ２３を駆動させ（ステップＳ３）、エッジサーミスタ３０の出力値に基づいて定着ローラ２３の表面温度が所定の温度となるように温度制御する（ステップＳ４）。そして、定着ローラ２３の表面温度が所定の温度に安定するようになれば、センタサーミスタ３１からの出力値に基づいて、図５に示す温度変換テーブルにより定着ローラ２３の表面温度の検知温度を選定し（ステップＳ５）、エッジサーミスタ３０によって検知された定着ローラ２３の検知温度と、センタサーミスタ３１による検知温度を比較する（ステップＳ６）。
【００７５】
そして、エッジサーミスタ３０によって得られた値とセンタサーミスタ３１によって得られた値とが異なっているかを判断して（ステップＳ７）、それぞれの検知温度が異なっている場合には、第１実施形態と同様にセンタサーミスタ３１の検知温度を補正する（ステップＳ８）。センタサーミスタ３１の検知温度の補正が終了すると、主制御部６０はサーミスタ移動用モータ５６を制御してセンタサーミスタ３１を、図１４に実線で示すように定着ローラ２３の略中央部分へと移動させた後（ステップＳ９）、補正モードが終了され（ステップＳ１０）、補正プロセスが終了する。
【００７６】
一方、ステップＳ７において、センタサーミスタ３１による検知温度がエッジサーミスタ３０による検知温度と一致している場合には、センタサーミスタ３１の検知温度の補正を行うことなく、センタサーミスタ３１を移動させた後（ステップＳ９）、補正モードが終了され（ステップＳ１０）、補正プロセスが終了することとなる。
【００７７】
以上のように、移動手段５０をドライブシャフト５５及びサーミスタ移動用モータ５６等から構成し、サーミスタ移動用モータ５６をモータ制御回路６５に接続し、モータ制御回路６５に主制御部６０から制御信号を出力することにより、センタサーミスタ３１の移動が行えるよう構成することにより、ユーザ又はサービスマンの手を煩わせることなくセンタサーミスタ３１を移動することができ、主制御部６０によって自動的にセンタサーミスタ３１の検知温度の補正を行うように設定することができ、非接触式サーミスタの個体差を平準化するだけでなく、トナー等の飛散物に起因するセンタサーミスタ３１の測定誤差を定期的に補正することができる。
【００７８】
なお、本実施形態においては、ドライブシャフト５５の外周面上にスクリューを形成し、支持部５３ｂのドライブシャフト５５を挿通する貫通孔の内周面にドライブシャフト５５のスクリューに噛合する螺旋溝を形成し、ドライブシャフト５５を正逆回転させることにより、センタサーミスタ３１を移動させるよう構成したが、これは、例えば第１実施形態に用いられた可動レバー部材５２のように、保持部材５３に定着ローラ２３の回転軸方向に延び出す腕部を設け、この腕部にラックギアを形成し、このラックギアに噛合するピニオンギアをサーミスタ移動用モータ５６によって回転させることにより、センタサーミスタ３１を移動させるよう構成してもよい。
【００７９】
また、上記第１実施形態と同様に、定着ローラ２３及び加圧ローラ２４を用いたローラ方式の定着装置８に限られるものではなく、加圧ローラ２４の代わりに薄肉の加圧ベルトを用いた構成、定着ローラ２３の代わりに定着ベルトを用いた構成、ハロゲンヒーター２８が内蔵された加熱ローラによって定着ローラ２３を加熱するような構成、及び加熱ベルトを定着ローラ２３に圧接させて定着ローラ２３を加熱するような構成であってもよい。
【００８０】
その他本発明は、上記各実施形態に限定されず、本発明の趣旨を逸脱しない範囲で種々の変更が可能であり、例えば、上記実施形態においては、温度変換テーブル上の数値をシフトさせることによってセンタサーミスタ３１の検知温度を補正したが、補正方法はこれに限られず、例えば、異なる２つの温度（例えば、１００℃と２００℃）におけるエッジサーミスタ３０による検知温度とセンタサーミスタ３１による検知温度との差を算出し、その値に基づいて補正式を求めて、この補正式によってセンタサーミスタ３１からの出力値を補正することによって、温度変換テーブル上の数値をシフトさせることなく、センタサーミスタ３１による検知温度を補正するようにしても良いし、前記の補正式を用いて新たな温度変換テーブルを作成するようにしてもよい。
【産業上の利用可能性】
【００８１】
本発明は、複写機、ファクシミリ及びプリンタ等の画像形成装置に用いられる、一対の回転体を互いに当接させて成る定着装置に利用することができ、特に、定着装置に備えられる、定着の温度を検出するための温度検知手段に利用することができる。
【図面の簡単な説明】
【００８２】
【図１】は、本発明に係る定着装置を搭載した画像形成装置の概略構成図である。
【図２】は、第１実施形態に係る定着装置の概略構成を示す側面断面図である。
【図３】は、図２に示す定着装置の正面断面図である。
【図４】は、センタサーミスタ温度検出回路を示す概略回路図である。
【図５】は、センタサーミスタによる温度検出時に用いられる温度変換テーブルの一例である。
【図６】は、第１実施形態に係る定着装置の制御系の構成を示すブロック図である。
【図７】は、第１実施形態に係る定着装置における、センタサーミスタの検知温度の補正プロセスを示すフローチャートである。
【図８】は、センタサーミスタの検知温度を補正した後の温度変換テーブルである。
【図９】は、第１実施形態に係る定着装置の他の構成を示す側面断面図であり、加圧ベルトを用いた構成を図示している。
【図１０】は、第１実施形態に係る定着装置の他の構成を示す側面断面図であり、定着ベルトを用いた構成を図示している。
【図１１】は、第１実施形態に係る定着装置の他の構成を示す側面断面図であり、加熱ローラを用いた構成を図示している。
【図１２】は、第１実施形態に係る定着装置の他の構成を示す側面断面図であり、加熱ベルトを用いた構成を図示している。
【図１３】は、第２実施形態に係る定着装置の概略構成を示す側面断面図である。
【図１４】は、図９に示す定着装置の正面断面図である。
【図１５】は、第２実施形態に係る定着装置の制御系の構成を示すブロック図である。
【図１６】は、第２実施形態に係る定着装置における、センタサーミスタの検知温度の補正プロセスを示すフローチャートである。
【図１７】は、従来の定着装置の概略構成を示す側面断面図である。
【符号の説明】
【００８３】
１      画像形成装置
８      定着装置
２３    定着ローラ（定着回転体）
２４    加圧ローラ（加圧回転体）
２３ａ，２４ａ  軸受
２５    ハウジング
２８    ハロゲンヒーター
２８ａ  主ヒーター
２８ｂ  副ヒーター
２９    駆動ギア
３０    エッジサーミスタ（接触式センサ）
３１    センタサーミスタ（非接触式センサ）
３１ａ  検知サーミスタ
３１ｂ  補償サーミスタ
４０    センタサーミスタ温度検出回路
５０    移動手段
５１    取付板
５２    可動レバー部材
５３    保持部材
５４    ガイドシャフト
５５    ドライブシャフト
５６    定着ローラ用モータ
５６    サーミスタ移動用モータ（駆動装置）
５７    駆動ギア
５８    減速ギア
６０    主制御部（検知温度補正手段）
７０    加圧ベルト（加圧回転体）
７３    定着ベルト（定着回転体）
７４    加熱ローラ（加熱回転体）
７５    加熱ベルト（加熱回転体）
【図１】
2008009330.tif 000003
【図２】
2008009330.tif 000004
【図３】
2008009330.tif 000005
【図４】
2008009330.tif 000006
【図５】
2008009330.tif 000007
【図６】
2008009330.tif 000008
【図７】
2008009330.tif 000009
【図８】
2008009330.tif 000010
【図９】
2008009330.tif 000011
【図１０】
2008009330.tif 000012
【図１１】
2008009330.tif 000013
【図１２】
2008009330.tif 000014
【図１３】
2008009330.tif 000015
【図１４】
2008009330.tif 000016
【図１５】
2008009330.tif 000017
【図１６】
2008009330.tif 000018
【図１７】
2008009330.tif 000019